(57)【要約】【課題】ＡＶシステム及び表示機器において、ＡＶ機器のリモコンコード種別が登録されていない場合でも、表示機器が、ＡＶ機器を容易に制御でき、利便性が良くなる。【解決手段】ＡＶシステムは、ＴＶ受像機、ＤＶＤプレーヤ、及び携帯端末を含む。ＴＶ受像機は、ＤＶＤプレーヤに対応するリモコンコード種別が登録されていない場合、リモコンコード種別リストから選択したリモコンコード種別における「電源オン」を指示するためのリモコン信号をＤＶＤプレーヤに送信するように指示するための制御コマンドを、携帯端末に送信する（Ｓ１５）。携帯端末は、このリモコンコード種別に基づき、「電源オン」を指示するリモコン信号をＤＶＤプレーヤに送信し（Ｓ１６）、ＴＶ受像機は、ＤＶＤプレーヤの電源オンを検知した場合（Ｓ１８でＹＥＳ）、携帯端末に直近に送信した制御コマンドに含まれるリモコンコード種別を登録する（Ｓ１９）。【選択図】図７
2013168747.tif 000002
【特許請求の範囲】
【請求項１】
ＡＶ（Ａｕｄｉｏ  Ｖｉｓｕａｌ）機器と、該ＡＶ機器にリモコンコードを用いてリモコン信号を送信する遠隔操作機器と、該ＡＶ機器及び該遠隔操作機器に接続された表示機器とを備えるＡＶシステムであって、
前記ＡＶ機器は、
リモコンコードを用いて送信されたリモコン信号を受信するリモコン信号受信手段と、
前記リモコン信号受信手段によって受信された前記リモコン信号の内容に基づき、自機を動作させる制御手段とを有し、
前記遠隔操作機器は、
前記表示機器から送信された制御コマンドを受信する受信手段と、
前記受信手段によって受信された前記制御コマンドに含まれるリモコンコード種別に基づくリモコンコードを用いたリモコン信号を前記ＡＶ機器に送信するリモコン信号送信手段とを有し、
前記表示機器は、
前記ＡＶ機器に対応するリモコンコード種別を記憶する記憶手段と、
前記記憶手段にリモコンコード種別が記憶されていない場合に、複数のリモコンコード種別の中からリモコンコード種別を選択した後、この選択したリモコンコード種別における所定の動作を指示するためのリモコン信号を前記ＡＶ機器に送信するように前記遠隔操作機器に指示するための制御コマンドを、該遠隔操作機器に送信する送信制御手段と、
前記送信制御手段によって前記制御コマンドが送信された後に、前記ＡＶ機器が前記所定の動作を行ったか否かを検知する動作検知手段と、
前記動作検知手段によって前記ＡＶ機器の前記所定の動作が検知された場合に、前記選択したリモコンコード種別を、前記記憶手段に記憶させるリモコンコード種別登録手段とを有し、
前記動作検知手段によって前記ＡＶ機器の前記所定の動作が検知されなかった場合に、前記動作検知手段によって前記ＡＶ機器の前記所定の動作が検知されるまで、前記送信制御手段が、前記複数のリモコンコード種別の中から、これまでに選択したリモコンコード種別とは別のリモコンコード種別における前記所定の動作を指示するためのリモコン信号を前記ＡＶ機器に送信するように前記遠隔操作機器に指示するための制御コマンドを、該遠隔操作機器に送信する処理を繰返すことを特徴とするＡＶシステム。
【請求項２】
前記所定の動作は、前記ＡＶ機器の電源オン動作であり、
前記動作検知手段は、前記送信制御手段によって前記制御コマンドが送信された後に、前記ＡＶ機器の電源がオンになったか否かを検知することを特徴とする請求項１に記載のＡＶシステム。
【請求項３】
ＡＶ機器に対応するリモコンコード種別を記憶する記憶手段と、
前記記憶手段にリモコンコード種別が記憶されていない場合に、複数のリモコンコード種別の中からリモコンコード種別を選択した後、この選択したリモコンコード種別における所定の動作を指示するためのリモコン信号を前記ＡＶ機器に送信するように遠隔操作機器に指示するための制御コマンドを、該遠隔操作機器に送信する送信制御手段と、
前記送信制御手段によって前記制御コマンドが送信された後に、前記ＡＶ機器が前記所定の動作を行ったか否かを検知する動作検知手段と、
前記動作検知手段によって前記ＡＶ機器の前記所定の動作が検知された場合に、前記選択したリモコンコード種別を、前記記憶手段に記憶させるリモコンコード種別登録手段とを有し、
前記動作検知手段によって前記ＡＶ機器の前記所定の動作が検知されなかった場合に、前記動作検知手段によって前記ＡＶ機器の前記所定の動作が検知されるまで、前記送信制御手段が、前記複数のリモコンコード種別の中から、これまでに選択したリモコンコード種別とは別のリモコンコード種別における前記所定の動作を指示するためのリモコン信号を前記ＡＶ機器に送信するように前記遠隔操作機器に指示するための制御コマンドを、該遠隔操作機器に送信する処理を繰返すことを特徴とする表示機器。
【請求項４】
前記所定の動作は、前記ＡＶ機器の電源オン動作であり、
前記動作検知手段は、前記送信制御手段によって前記制御コマンドが送信された後に、前記ＡＶ機器の電源がオンになったか否かを検知することを特徴とする請求項３に記載の表示機器。
【発明の詳細な説明】
【技術分野】
【０００１】
本発明は、ＡＶ（Ａｕｄｉｏ  Ｖｉｓｕａｌ）機器と、このＡＶ機器にリモコン信号を送信する遠隔操作機器と、ＡＶ機器及び遠隔操作機器に接続された表示機器とを含むＡＶシステム、及び表示機器に関する。
【背景技術】
【０００２】
近年、テレビジョン（以下、ＴＶという）受像機とＤＶＤプレーヤとをＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブルを介して接続し、ユーザがＴＶ受像機用のリモコン装置を操作することによりＤＶＤプレーヤを制御可能なＡＶシステムがある。このＡＶシステムでは、ユーザがＴＶ受像機用のリモコン装置の「再生キー」を操作して「ＤＶＤディスクの再生」を指示すると、ＴＶ受像機が、「ＤＶＤディスクの再生」の指示に対応するＣＥＣ（Ｃｏｎｓｕｍｅｒ  Ｅｌｅｃｔｒｏｎｉｃｓ  Ｃｏｎｔｒｏｌ）コマンドを、ＨＤＭＩケーブルを介して、ＤＶＤプレーヤに送信する。ＤＶＤプレーヤは、このＣＥＣコマンドを受信すると、このＣＥＣコマンドの内容に基づき、ＤＶＤディスクの再生を開始する。
【０００３】
ところで、ＡＶ機器によっては、ＣＥＣコマンドに対応していないものがある。例えば、ＣＥＣコマンドに対応していないＤＶＤプレーヤと、ＣＥＣコマンドに対応したＴＶ受像機とを、ＨＤＭＩケーブルを介して接続したとしても、このＴＶ受像機は、ＣＥＣコマンドを送信してＤＶＤプレーヤを制御することができない。従って、ユーザは、ＴＶ受像機及びＤＶＤプレーヤを制御したい場合、ＴＶ受像機用のリモコン装置を操作してＴＶ受像機を制御し、ＤＶＤプレーヤ用のリモコン装置を操作してＤＶＤプレーヤを制御しなければならず、リモコン装置を持ち替える必要があるため、操作が煩雑であり、利便性が悪いという問題がある。
【０００４】
上記問題に対して、特許文献１には、ＴＶ受像機を含むシステム内に、未知の機器を検出した場合、その未知の機器のリモコン情報をシステム外のホストコンピュータからダウンロードし、そのリモコン情報に基づいて、ＴＶ受像機のリモコンキーに割り当てを行うユーザインタフェース制御装置、及びユーザインタフェース制御方法が開示されている。このユーザインタフェース制御装置、及びユーザインタフェース制御方法によれば、ＣＥＣコマンドに対応していないＡＶ機器であっても、ＴＶ受像機のリモコン装置を用いて制御することができるので、ユーザがリモコン装置を持ち替える手間を解消することができる。
【０００５】
しかしながら、上記ユーザインタフェース制御装置、及びユーザインタフェース制御方法では、未知の機器のリモコン情報をシステム外からダウンロードする必要があるため、未知の機器に対応するリモコンコード種別が分からない場合、どのリモコンコード種別のリモコン情報をダウンロードすればよいのか分からないため、ＴＶ受像機のリモコン装置を用いて未知の機器を制御することができない。
【０００６】
また、特許文献２には、ＤＶＤレコーダ及びＶＴＲに接続する接続部と、ＤＶＤレコーダ及びＶＴＲに対して赤外線制御信号を出力するＩＲ出力部とを備え、サーバから取得したリモコンコードを用いて、ＤＶＤレコーダ及びＶＴＲに対応するリモコンコードを含んだリモコン信号を生成してＤＶＤレコーダおよびＶＴＲに出力するＴＶ受像機及びデータ提供システムが開示されている。しかしながら、このＴＶ受像機及びデータ提供システムであっても、ＤＶＤレコーダ及びＶＴＲのリモコンコード種別が分からない場合、どのリモコンコード種別をサーバから取得すればよいのか分からないため、ＴＶ受像機のリモコン装置を用いて、ＤＶＤレコーダ及びＶＴＲを制御することができないので、利便性が悪い。
【先行技術文献】
【特許文献】
【０００７】
【特許文献１】特開２０１０−１５５９８号公報
【特許文献２】特開２００７−２０８７７０号公報
【発明の概要】
【発明が解決しようとする課題】
【０００８】
本発明は、上述した問題点を解決するためになされたものであり、ＡＶ機器のリモコンコード種別が登録（記憶）されていない場合であっても、表示機器が、遠隔操作機器を介して、ＡＶ機器を容易に制御することができ、利便性を向上させることが可能なＡＶシステム、及び表示機器を提供することを目的とする。
【課題を解決するための手段】
【０００９】
上記目的を達成するために請求項１に係る発明は、ＡＶ（Ａｕｄｉｏ  Ｖｉｓｕａｌ）機器と、該ＡＶ機器にリモコンコードを用いてリモコン信号を送信する遠隔操作機器と、該ＡＶ機器及び該遠隔操作機器に接続された表示機器とを備えるＡＶシステムであって、前記ＡＶ機器は、リモコンコードを用いて送信されたリモコン信号を受信するリモコン信号受信手段と、前記リモコン信号受信手段によって受信された前記リモコン信号の内容に基づき、自機を動作させる制御手段とを有し、前記遠隔操作機器は、前記表示機器から送信された制御コマンドを受信する受信手段と、前記受信手段によって受信された前記制御コマンドに含まれるリモコンコード種別に基づくリモコンコードを用いたリモコン信号を前記ＡＶ機器に送信するリモコン信号送信手段とを有し、前記表示機器は、前記ＡＶ機器に対応するリモコンコード種別を記憶する記憶手段と、前記記憶手段にリモコンコード種別が記憶されていない場合に、複数のリモコンコード種別の中からリモコンコード種別を選択した後、この選択したリモコンコード種別における所定の動作を指示するためのリモコン信号を前記ＡＶ機器に送信するように前記遠隔操作機器に指示するための制御コマンドを、該遠隔操作機器に送信する送信制御手段と、前記送信制御手段によって前記制御コマンドが送信された後に、前記ＡＶ機器が前記所定の動作を行ったか否かを検知する動作検知手段と、前記動作検知手段によって前記ＡＶ機器の前記所定の動作が検知された場合に、前記選択したリモコンコード種別を、前記記憶手段に記憶させるリモコンコード種別登録手段とを有し、前記動作検知手段によって前記ＡＶ機器の前記所定の動作が検知されなかった場合に、前記動作検知手段によって前記ＡＶ機器の前記所定の動作が検知されるまで、前記送信制御手段が、前記複数のリモコンコード種別の中から、これまでに選択したリモコンコード種別とは別のリモコンコード種別における前記所定の動作を指示するためのリモコン信号を前記ＡＶ機器に送信するように前記遠隔操作機器に指示するための制御コマンドを、該遠隔操作機器に送信する処理を繰返すものである。
【００１０】
また、請求項２に係る発明は、請求項１に記載のＡＶシステムにおいて、前記所定の動作は、前記ＡＶ機器の電源オン動作であり、前記動作検知手段は、前記送信制御手段によって前記制御コマンドが送信された後に、前記ＡＶ機器の電源がオンになったか否かを検知するものである。
【００１１】
また、請求項３に係る発明は、ＡＶ機器に対応するリモコンコード種別を記憶する記憶手段と、前記記憶手段にリモコンコード種別が記憶されていない場合に、複数のリモコンコード種別の中からリモコンコード種別を選択した後、この選択したリモコンコード種別における所定の動作を指示するためのリモコン信号を前記ＡＶ機器に送信するように遠隔操作機器に指示するための制御コマンドを、該遠隔操作機器に送信する送信制御手段と、前記送信制御手段によって前記制御コマンドが送信された後に、前記ＡＶ機器が前記所定の動作を行ったか否かを検知する動作検知手段と、前記動作検知手段によって前記ＡＶ機器の前記所定の動作が検知された場合に、前記選択したリモコンコード種別を、前記記憶手段に記憶させるリモコンコード種別登録手段とを有し、前記動作検知手段によって前記ＡＶ機器の前記所定の動作が検知されなかった場合に、前記動作検知手段によって前記ＡＶ機器の前記所定の動作が検知されるまで、前記送信制御手段が、前記複数のリモコンコード種別の中から、これまでに選択したリモコンコード種別とは別のリモコンコード種別における前記所定の動作を指示するためのリモコン信号を前記ＡＶ機器に送信するように前記遠隔操作機器に指示するための制御コマンドを、該遠隔操作機器に送信する処理を繰返すものである。
【００１２】
また、請求項４に係る発明は、請求項３に記載の表示機器において、前記所定の動作は、前記ＡＶ機器の電源オン動作であり、前記動作検知手段は、前記送信制御手段によって前記制御コマンドが送信された後に、前記ＡＶ機器の電源がオンになったか否かを検知するものである。
【発明の効果】
【００１３】
請求項１及び２の発明によれば、表示機器は、遠隔操作機器に選択した制御コマンドを送信した後に、ＡＶ機器の所定の動作を検知しなかった場合、ＡＶ機器の所定の動作が検知されるまで、これまでに選択したリモコンコード種別とは別のリモコンコード種別に対応する制御コマンドを、遠隔操作機器に繰返し送信する。そしてＡＶ機器の所定の動作を検知したときに、直近の制御コマンドに対応するリモコンコード種別を、ＡＶ機器に対応するリモコンコード種別として記憶する。そのため、表示機器は、ＡＶ機器に対応するリモコンコード種別が分からない場合であっても、ＡＶ機器に対応するリモコンコード種別を検知して、記憶させることができる。従って、表示機器は、ＡＶ機器に対応するリモコンコード種別におけるリモコン信号をＡＶ機器に送信するように遠隔操作機器に指示するための制御コマンドを、遠隔操作機器に送信することによって、ＡＶ機器を容易に制御でき、利便性を向上させることができる。
【００１４】
請求項３及び４に記載の表示機器を、請求項１及び２に記載のＡＶシステムにおける表示機器として用いることにより、上記と同様の効果を得ることができる。
【図面の簡単な説明】
【００１５】
【図１】本発明の一実施形態に係るＴＶ受像機と、ＤＶＤプレーヤと、携帯端末とを含むＡＶシステムの概略図。
【図２】上記ＴＶ受像機の内部構成を示すブロック図。
【図３】上記ＴＶ受像機におけるリモコンコード種別リストの内容を説明する内部構成を示すブロック図。
【図４】上記ＤＶＤプレーヤの内部構成を示すブロック図。
【図５】上記携帯端末の内部構成を示すブロック図。
【図６】上記ＡＶシステムにおけるＴＶ受像機のリモコン装置を操作する際の処理の手順を示すフローチャート。
【図７】上記ＡＶシステムにおけるリモコンコード登録処理の手順を示すフローチャート。
【図８】本発明のＡＶシステムの変形例におけるＴＶ受像機の内部構成を示すブロック図。
【図９】上記ＡＶシステムにおける携帯端末の内部構成を示すブロック図。
【発明を実施するための形態】
【００１６】
以下、本発明の一実施形態に係るＡＶシステムについて、図１乃至図５を参照して説明する。図１は、テレビジョン受像機２（以下、ＴＶ受像機という；請求項における表示機器）と、ＤＶＤプレーヤ（ＡＶ機器）３と、携帯端末（遠隔操作機器）４とを含むＡＶシステム１の概略を示す。図２は、ＴＶ受像機２の電気的ブロック構成を示す。図３は、リモコンコード種別リスト２９ｂの内容を示す。図４は、ＤＶＤプレーヤ３の電気的ブロック構成を示し、図５は、携帯端末４の電気的ブロック構成を示す。
【００１７】
ＴＶ受像機２とＤＶＤプレーヤ３とは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル６０を介して相互に接続されている。ＤＶＤプレーヤ３は、ＨＤＭＩ−ＣＥＣ（Ｃｏｎｓｕｍｅｒ  Ｅｌｅｃｔｒｏｎｉｃｓ  Ｃｏｎｔｒｏｌ）に対応していない機器であり、ＴＶ受像機２から送信されたＣＥＣコマンドに基づく動作を行うことができない。ＤＶＤプレーヤ３は、ＨＤＭＩケーブル６０を介して、映像信号及び音声信号を、ＴＶ受像機２に送信可能な機器である。また、ＤＶＤプレーヤ３は、自装置に対応するリモコンコード種別のリモコン信号に基づき、動作を行う機器である。
【００１８】
ＴＶ受像機２と携帯端末４とは、ＭＨＬ（Ｍｏｂｉｌｅ  Ｈｉｇｈ−ｄｅｆｉｎｉｔｉｏｎ  Ｌｉｎｋ）に対応した機器であり、ＭＨＬに対応した伝送ケーブル７０（以下、ＭＨＬケーブルという）を介して相互に接続されている。ＭＨＬは、映像信号や音声信号の伝送を行うデータラインと、制御コマンドの伝送を行うＣＢＵＳラインと、機器を充電するための電源ラインとを有する。ＴＶ受像機２は、ＭＨＬケーブル７０を介して、制御コマンドを送信することにより、携帯端末４を制御する。携帯端末４は、ＴＶ受像機２から受信した制御コマンドの内容に基づき、リモコン信号をＤＶＤプレーヤ３に送信する。すなわち、ＴＶ受像機２から携帯端末４に制御コマンドを送信することにより、ＴＶ受像機２は、ＤＶＤプレーヤ３を制御できる。
【００１９】
ＴＶ受像機２は、図２に示すように、アンテナ２１に接続され、デジタル放送信号を受信するチューナ部２２と、デコーダ部２３と、映像を表示するディスプレイ２４と、音声を出力するスピーカ２５と、リモコン信号受信部２６と、ＭＨＬインタフェース（送信制御手段）２７と、ＨＤＭＩ受信部２８と、メモリ２９と、メインマイコン（送信制御手段、動作検知手段、リモコンコード登録手段）２０とを備える。
【００２０】
チューナ部２２は、アンテナ２１を介して、放送局から配信される各チャンネルのデジタル放送信号を受信する。デコーダ部２３は、チューナ部２２によって受信されたデジタル放送信号に対して復調処理や誤り訂正処理等を行い、多重化された信号から必要なＴＳ（トランスポートストリーム）パケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００２１】
映像デコード回路は、映像信号を含むＴＳパケットに対して復号化処理を行い、映像信号を抽出し、抽出した映像信号をメインマイコン２０に出力する。音声デコード回路は、音声信号を含むＴＳパケットに対して復号化処理を行い、音声信号を抽出し、抽出した音声信号をメインマイコン２０に出力する。
【００２２】
データデコード回路は、ＳＩ（Ｓｅｒｖｉｃｅ  Ｉｎｆｏｒｍａｔｉｏｎ）データを含むＴＳパケットに対して復号化処理を行い、ＳＩデータを抽出し、抽出したＳＩデータをメインマイコン２０に出力する。
【００２３】
ディスプレイ２４は、チューナ部２２によって受信されたディジタル放送信号に基づくＴＶ番組の映像と、ＤＶＤプレーヤ３から受信した映像信号に基づく映像を表示する。スピーカ２５は、チューナ部２２によって受信されたディジタル放送信号に基づくＴＶ番組の音声と、ＤＶＤプレーヤ３から受信した音声信号に基づく音声を出力する。
【００２４】
リモコン信号受信部２６は、ＴＶ受像機２を操作するためのリモコン装置５から送信されるリモコン信号を受信して、このリモコン信号の内容をメインマイコン２０に送る。
【００２５】
リモコン装置５は、複数の操作キーを有し、ユーザによって操作キーが操作されると、操作されたキーに対応するリモコンコードを用いてリモコン信号をＴＶ受像機２に送信する。リモコン装置５は、再生、停止、早送り、及び巻戻し等のＤＶＤプレーヤ３を制御するための各操作キーを含む。しかしながら、リモコン装置５は、ＤＶＤプレーヤ３に対応するリモコンコード種別とは異なる種別のリモコンコードを用いてリモコン信号を送信するため、ＤＶＤプレーヤ３は、リモコン装置５から送信されたリモコン信号を受信しても、このリモコン信号に基いて動作を行うことができない。
【００２６】
ＭＨＬインタフェース２７には、ＭＨＬケーブル７０が接続され、ＭＨＬケーブル７０を介して、携帯端末４に制御コマンドを送信する。また、ＭＨＬインタフェース２７は、ＭＨＬケーブル７０を介して、携帯端末４から受信した制御コマンドをメインマイコン２０に転送する。
【００２７】
ＨＤＭＩ受信部２８は、ＨＤＭＩレシーバとして機能し、ＨＤＭＩケーブル６０を介して、ＤＶＤプレーヤ３から供給された映像信号や音声信号を受信して、メインマイコン２０に転送する処理を行う。
【００２８】
メモリ２９には、メインマイコン２０を動作させるためのプログラム２９ａと、リモコンコード種別リスト２９ｂと、登録リモコンコード種別情報（記憶手段）２９ｃとが記憶されている。
【００２９】
リモコンコード種別リスト２９ｂには、複数のリモコンコード種別が格納されている。
具体的には、リモコンコード種別リスト２９ｂは、図３に示すように、整理ナンバー（「Ｎｏ．」）と、リモコンコード種別名とを格納している。リモコンコード種別名は、「ＡＢＣ社」「ＡＡＡ社」「ＲＣ５」、及び「ＲＣ６」等である。
【００３０】
登録リモコンコード種別情報２９ｃには、ＤＶＤプレーヤ３に対応するリモコンコード種別が格納（登録）される。初期設定時には、登録リモコンコード種別情報２９ｃには、リモコンコード種別が格納されていない。また、ＤＶＤプレーヤ３に対応するリモコンコード種別がない場合、すなわち、リモコンコード種別リスト２９ｂの中の全てのリモコンコード種別が、ＤＶＤプレーヤ３に非対応の場合、登録リモコンコード種別情報２９ｃには、非対応である旨の情報が格納される。
【００３１】
メインマイコン２０は、ＴＶ受像機２の各部を制御する。具体的には例えば、ＤＶＤプレーヤ３から受信した映像信号に基づく映像をディスプレイ２４に表示し、音声信号に基づく音声をスピーカ２５から出力する。また、メインマイコン２０は、ＤＶＤプレーヤ３に対応するリモコンコード種別を登録する処理と、携帯端末４にリモコン信号の送信を指示するための制御コマンドを送信する処理を行う。
【００３２】
ＤＶＤプレーヤ３は、図４に示すように、ＨＤＭＩ送信部３１と、光ディスクドライブ３２と、メモリ３３と、リモコン信号受信部（リモコン信号受信手段）３４と、メインマイコン（制御手段）３０とを備える。
【００３３】
ＨＤＭＩ送信部３１には、ＴＶ受像機２と接続されたＨＤＭＩケーブル６０が接続されている。ＨＤＭＩ送信部３１は、ＨＤＭＩトランスミッタとして機能し、ＤＶＤディスクｄから読み出したコンテンツの映像及び音声を、ＨＤＭＩケーブル６０を介してＴＶ受像機２に送信する。
【００３４】
光ディスクドライブ３２は、内部にＤＶＤディスクｄが装着され、ＤＶＤディスクｄからコンテンツデータの読み出しを行い、読み出したコンテンツデータをメインマイコン３０に出力する。メモリ３３は、メインマイコン３０を動作させるためのプログラム３３ａを格納している。
【００３５】
リモコン信号受信部３４は、リモコンコードを用いたリモコン信号を受信し、リモコン信号の内容をメインマイコン３０に送る。
【００３６】
メインマイコン３０は、リモコン信号受信部３４が受信したリモコン信号のうち、自装置に対応するリモコンコード種別のリモコンコードを用いたリモコン信号の内容に基づき、ＤＶＤプレーヤ３を動作させる制御処理を行う。すなわち、受信したリモコン信号が自装置に対応しないリモコンコード種別のリモコン信号である場合、メインマイコン３０は、制御処理を行わない。
【００３７】
携帯端末４は、図５に示すように、映像を表示する表示部４１と、ユーザによって操作されるメニューボタン４２と、ＭＨＬインタフェース（受信手段）４３と、メモリ４４と、リモコン信号送信部（リモコン信号送信手段）４５と、メインマイコン４０とを備える。
【００３８】
ＭＨＬインタフェース４３は、ＭＨＬケーブル７０が接続され、ＭＨＬケーブル７０を介して、ＴＶ受像機２から制御コマンドを受信する。また、ＭＨＬインタフェース４３は、制御コマンドをＴＶ受像機２に送信する。メモリ４４には、メインマイコン４０を動作させるためのプログラム４４ａが記憶されている。
【００３９】
リモコン信号送信部４５は、ＴＶ受像機２から受信した制御コマンドに含まれるリモコンコード種別に基づくリモコンコードを用いたリモコン信号を、ＤＶＤプレーヤ３に送信する。
【００４０】
メインマイコン４０は、携帯端末４の各部を制御する。具体的には例えば、メインマイコン４０は、ＴＶ受像機２からＤＶＤプレーヤ３にリモコン信号を送信するよう指示する制御コマンドを受信すると、この制御コマンドに含まれるリモコンコード種別に対応したリモコンコードを用いたリモコン信号を、リモコン信号送信部４５を用いて、ＤＶＤプレーヤ３に送信する。
【００４１】
次に、ＡＶシステム１におけるＴＶ受像機２のリモコン装置５を用いたＤＶＤプレーヤ３の操作処理について、図６に示すフローチャートを参照して説明する。ここでは、ユーザによってＴＶ受像機２のリモコン装置５が操作され、ＤＶＤプレーヤ３に「ＤＶＤディスクｄの再生」を指示するものとする。
【００４２】
まず、ユーザによってリモコン装置５の「再生キー」が操作され、ＴＶ受像機２のメインマイコン２０が、リモコン信号受信部２６を用いて、リモコン装置５から「再生」を指示するリモコン信号を受信すると（Ｓ１）、登録リモコンコード種別情報２９ｃに、ＤＶＤプレーヤ３に対応するリモコンコード種別が登録されているか否かを判断する（Ｓ２）。
【００４３】
上記Ｓ２の結果、リモコンコード種別が登録されていない場合（Ｓ３でＮＯ）、ＴＶ受像機２のメインマイコン２０は、ＤＶＤプレーヤ３のリモコンコード種別を登録する処理（リモコンコード種別登録処理）を行う（Ｓ４）。
【００４４】
そして、ＤＶＤプレーヤ４のリモコンコード種別を登録リモコンコード種別情報２９ｃに登録する処理が完了した場合（Ｓ５でＹＥＳ）、ＴＶ受像機２のメインマイコン２０は、登録されたリモコンコード種別における「ＤＶＤディスクｄの再生」を指示するリモコン信号をＤＶＤプレーヤ３に送信するように指示するための制御コマンドを、ＭＨＬインタフェース２７を用いて、携帯端末４に送信する（Ｓ６）。
【００４５】
一方、上記Ｓ２の結果、登録リモコンコード種別情報２９ｃにリモコンコード種別が登録されている場合（Ｓ３でＹＥＳ）、ＴＶ受像機２のメインマイコン２０は、上記Ｓ４及びＳ５の処理を行わないで、上記Ｓ６の処理を行う。
【００４６】
そして、上記Ｓ６の後、携帯端末４のメインマイコン４０は、上記Ｓ６で送信された制御コマンドを受信すると、「ＤＶＤディスクｄの再生」を指示するためのリモコン信号を、登録されている種別のリモコンコード（ＤＶＤプレーヤ３に対応するリモコンコード種別のリモコンコード）で、ＤＶＤプレーヤ３に送信する（Ｓ７）。
【００４７】
そして、ＤＶＤプレーヤ３のメインマイコン３０は、上記Ｓ７で送信されたリモコン信号を受信すると、ＤＶＤディスクｄを再生する（Ｓ８）。再生されたＤＶＤディスクｄの映像信号及び音声信号は、ＨＤＭＩケーブル６０を介して、ＴＶ受像機２に供給される。
【００４８】
一方、上記Ｓ５の結果、リモコンコード種別を登録できない場合、すなわち、ＤＶＤプレーヤ３に対応するリモコンコード種別が、リモコンコード種別リスト２９ｂに格納されていないリモコンコード種別である場合（Ｓ５でＮＯ）、ＴＶ受像機２のメインマイコン２０は、ＤＶＤプレーヤ３のリモコンコード種別に非対応である旨のメッセージをディスプレイ２４に表示し（Ｓ９）、上記Ｓ６乃至Ｓ８の処理を行わない。上記Ｓ９でディスプレイ２４に表示するメッセージは、例えば、「ＤＶＤプレーヤのリモコンコード種別に非対応です。ＤＶＤプレーヤを操作することができません。」である。
【００４９】
次に、上記Ｓ４のリモコンコード種別登録処理の詳細について、図７に示すフローチャートを参照して説明する。ここでは、ＤＶＤプレーヤ３は、電源オンしたときに、自装置３の製造メーカ名等を表示させるための映像信号を、ＨＤＭＩケーブル６０を介してＴＶ受像機２に供給するものとする。
【００５０】
ＴＶ受像機２のメインマイコン２０は、ディスプレイ２４上に、ＤＶＤプレーヤ３の電源オフを促すメッセージを表示する（Ｓ１１）。このメッセージは例えば、「ＤＶＤプレーヤの電源がオフになっている事をご確認ください」である。
【００５１】
そして、ユーザがＤＶＤプレーヤ３の電源をオフにして、リモコン装置５の「ＯＫキー」を操作すると（Ｓ１２）、ＴＶ受像機２のメインマイコン２０は、選択可能なリモコンコード種別を全て試した場合（Ｓ１３でＹＥＳ）、ＤＶＤプレーヤ３のリモコンコード種別に非対応と登録する（Ｓ２０）。具体的には、ＴＶ受像機２のメインマイコン２０は、リモコンコード種別リスト２９ｂに格納されたリモコンコード種別の中に、未選択のリモコンコード種別がなくなった場合（上記Ｓ１３でＹＥＳに相当）、登録リモコンコード種別情報２９ｃに、ＤＶＤプレーヤ３に非対応である旨の情報を格納する（上記Ｓ２０に相当）。
【００５２】
一方、ＴＶ受像機２のメインマイコン２０は、選択可能なリモコンコード種別を全て試していない場合（Ｓ１３でＮＯ）、リモコンコード種別リスト２９ｂに格納されたリモコンコード種別の中から、これまでに選択したリモコンコード種別とは別のリモコンコード種別を選択する（Ｓ１４）。そして、選択したリモコンコード種別における「電源オン」を指示するためのリモコン信号をＤＶＤプレーヤ３に送信するように指示するための制御コマンドを、携帯端末４に送信する（Ｓ１５）。
【００５３】
携帯端末４のメインマイコン４０は、上記Ｓ１５でＴＶ受像機２から送信された制御コマンドを受信すると、この制御コマンドに含まれるリモコンコード種別に基づき、「電源オン」を指示するためのリモコン信号をＤＶＤプレーヤ３に送信する（Ｓ１６）。
【００５４】
そして、ＴＶ受像機２のメインマイコン２０は、ＤＶＤプレーヤ３が電源オンしたか否かを検知する（Ｓ１７）。具体的には、ＤＶＤプレーヤ３は、電源オンしたときに、自装置３の製造メーカ名等を表示させるための映像信号を、ＨＤＭＩケーブル６０を介してＴＶ受像機２に供給するものであるため、ＴＶ受像機２のメインマイコン２０は、ＨＤＭＩ受信部２８を用いて、ＤＶＤプレーヤ３から映像信号を受信したか否かを検知し、映像信号の受信を検知したときに、ＤＶＤプレーヤ３が電源オンしたと検知する（上記Ｓ１７に相当）。
【００５５】
そして、ＴＶ受像機２のメインマイコン２０は、ＤＶＤプレーヤ３の電源オンを検知した場合（Ｓ１８でＹＥＳ）、ＤＶＤプレーヤ３に対応するリモコンコード種別として、上記Ｓ１５で（直近に）携帯端末４に送信した制御コマンドに含まれるリモコンコード種別を、登録リモコンコード種別情報２９ｃに登録する（Ｓ１９）。
【００５６】
一方、ＴＶ受像機２のメインマイコン２０は、ＤＶＤプレーヤ３の電源オンを検知しなかった場合（Ｓ１８でＮＯ）、上記Ｓ１３以降の処理を繰返す。具体的には、ＴＶ受像機２のメインマイコン２０は、上記Ｓ１５で携帯端末４に制御コマンドを送信してから、１０秒経過してもＤＶＤプレーヤ３から映像信号が供給されない場合、ＤＶＤプレーヤ３が電源オンしなかったと判断する。
【００５７】
上述したように、本ＡＶシステム１によれば、ＴＶ受像機２は、携帯端末４に選択した制御コマンドを送信した後に、ＤＶＤプレーヤ３の電源オンを検知しなかった場合、ＤＶＤプレーヤ３の電源オンが検知されるまで、これまでに選択したリモコンコード種別とは別のリモコンコード種別に対応する制御コマンドを、携帯端末４に繰返し送信する。そしてＤＶＤプレーヤ３の電源オンを検知したときに、直近の制御コマンドに対応するリモコンコード種別を、ＤＶＤプレーヤ３に対応するリモコンコード種別として登録リモコンコード種別情報２９ｃに記憶する。そのため、ＴＶ受像機２は、ＤＶＤプレーヤ３に対応するリモコンコード種別が分からない場合であっても、ＤＶＤプレーヤ３に対応するリモコンコード種別を検知して、記憶させることができる。従って、ＴＶ受像機２は、ＤＶＤプレーヤ３に対応するリモコンコード種別におけるリモコン信号をＤＶＤプレーヤ３に送信するように携帯端末４に指示するための制御コマンドを、携帯端末４に送信することによって、ＤＶＤプレーヤ３を容易に制御でき、利便性を向上させることができる。
【００５８】
次に、上記実施形態に係るＡＶシステム１の変形例について、図８及び図９を参照して説明する。図８は、本ＡＶシステム１に係るＴＶ受像機２の内部構成を示し、図９は、本ＡＶシステム１に係る携帯端末４の内部構成を示す。図８及び図９において、同一のものには同一の符号を付し、その説明を省略する。
【００５９】
図８に示すように、本ＡＶシステム１に係るＴＶ受像機２は、リモコンコード種別リスト及び登録リモコンコード種別情報をメモリ２９に格納していないこと以外は、上記図２に示したＴＶ受像機２と同じ構成である。
【００６０】
図９に示すように、本ＡＶシステム１に係る携帯端末４は、メモリ４４に、リモコンコード種別リスト４４ｂ及び登録リモコンコード種別情報４４ｃをメモリ２９にさらに格納していること以外は、上記図５に示した携帯端末４と同じ構成である。リモコンコード種別リスト４４ｂは、上記図３に示したリモコンコード種別リストと同様の内容である。登録リモコンコード種別情報４４ｃは、ＤＶＤプレーヤ３に対応するリモコンコード種別を格納するものである。
【００６１】
本ＡＶシステム１では、ＴＶ受像機２のリモコン装置５を用いてＤＶＤプレーヤ３の操作を行う際に、ＴＶ受像機２のメインマイコン２０は、携帯端末４に対して、登録リモコンコード種別情報４４ｃにリモコンコード種別が格納されているか否かを問い合わせる制御コマンドを送信することにより、ＤＶＤプレーヤ３に対応するリモコンコード種別が登録されているか判断する。また、本ＡＶシステム１では、リモコンコード登録処理を行う際に、ＴＶ受像機２のメインマイコン２０は、リモコンコード種別リスト４４ｂの内容を問い合わせるための制御コマンドを携帯端末４に送信し、携帯端末４からリモコンコード種別リスト４４ｂを取得する。また、ＴＶ受像機２のメインマイコン２０は、ＤＶＤプレーヤ３に対応するリモコンコード種別を確認した場合、このリモコンコード種別を登録リモコンコード種別情報４４ｃに格納させるための制御コマンドを、携帯端末４に送信して、登録リモコンコード種別情報４４ｃにリモコンコード種別を登録させる。
【００６２】
このように、本ＡＶシステムによれば、携帯端末４のメモリ４４にリモコンコード種別リスト４４ｂ及び登録リモコンコード種別情報４４ｃが格納されている場合であっても、上記図１乃至図７に示したＡＶシステム１と同様の効果を得ることができる。
【００６３】
なお、本発明は、上記実施形態の構成に限られず、発明の趣旨を変更しない範囲で種々の変形が可能である。例えば、上記実施形態では、請求項に示す表示機器がＴＶ受像機である例を示したが、これに限られず、ＤＶＤプレーヤから映像信号を受信可能であると共に、携帯端末に制御コマンドを送信可能な表示機器であればよい。また、上記実施形態では、請求項に示すＡＶ機器がＤＶＤプレーヤである例を示したが、これに限られず、ＴＶ受像機に映像信号を送信可能であると共に、携帯端末からリモコン信号を受信可能なＡＶ機器であればよい。また、上記実施形態では、請求項に示す遠隔操作端末が携帯端末である例を示したが、これに限られず、ＴＶ受像機から制御信号を受信可能であると共に、ＤＶＤプレーヤにリモコン信号を送信可能な遠隔操作端末であればよい。
【符号の説明】
【００６４】
１  ＡＶシステム
２  ＴＶ受像機（表示機器）
３  ＤＶＤプレーヤ（ＡＶ機器）
４  携帯端末（遠隔操作機器）
２０  メインマイコン（送信制御手段、動作検知手段、リモコンコード登録手段）
２７  ＭＨＬインタフェース（送信制御手段）
２８  ＨＤＭＩ受信部
３０  メインマイコン（制御手段）
３４  リモコン信号受信部（リモコン信号受信手段）
４３  ＭＨＬインタフェース（受信手段）
４５  リモコン信号送信部（リモコン信号送信手段）
２９ｃ  登録リモコンコード種別情報（記憶手段）
４４ｃ  登録リモコンコード種別情報（記憶手段）
【図１】
2013168747.tif 000003
【図２】
2013168747.tif 000004
【図３】
2013168747.tif 000005
【図４】
2013168747.tif 000006
【図５】
2013168747.tif 000007
【図６】
2013168747.tif 000008
【図７】
2013168747.tif 000009
【図８】
2013168747.tif 000010
【図９】
2013168747.tif 000011